(57)【特許請求の範囲】
【請求項１】
記録紙の幅方向に長尺な固定刃と、移動刃を搭載したホルダと、該ホルダを前記幅方向に往復動させるホルダ搬送手段と、切断位置近傍の前記記録紙を上方に押し上げながら前記固定刃に押しつけて、該記録紙を挟持する記録紙挟持手段とを備え、前記記録紙を前記記録紙挟持手段によって挟持した後に、前記固定刃と前記移動刃とで該記録紙を剪断する記録紙切断装置であって、
剪断する直前の切断位置近傍において、前記記録紙の姿勢を略水平に規制する規制部が前記ホルダに形成されており、
前記移動刃が前記固定刃と前記規制部との間に位置する如く、前記ホルダに前記規制部が形成されており、
前記規制部は、前記固定刃の剪断面と略水平な高さの規制面にて前記記録紙の姿勢を略水平に規制する形状を成している、ことを特徴とした記録紙切断装置。
【請求項２】
請求項１において、前記規制部は、剪断する直前の切断位置近傍において、前記記録紙を前記規制面に誘導する斜面を有している、ことを特徴とした記録紙切断装置。
【請求項３】
請求項２において、前記規制部は、剪断した直後の切断位置近傍において、前記記録紙の姿勢を略水平に規制する形状を成している、ことを特徴とした記録紙切断装置。
【請求項４】
請求項１〜３のいずれか１項において、前記記録紙挟持手段は、前記記録紙を一点で挟持する構成を成している、ことを特徴とした記録紙切断装置。
【請求項５】
前記記録紙に記録実行可能な構成を有する記録装置であって、請求項１〜４のいずれか１項に記載の記録紙切断装置を備える、ことを特徴とした記録装置。
【発明の詳細な説明】
【０００１】
【発明の属する技術分野】
本願発明は、ファクシミリやコピー機、プリンタ等の記録装置に搭載され、記録紙を所望の長さに切断する記録紙切断装置、並びに該記録紙切断装置を搭載した記録装置に関する。
【０００２】
【従来の技術】
従来から、記録後の記録紙を所望の長さに切断する記録紙切断装置を搭載した記録装置の１つとして、長尺な記録紙をロール状に巻いたロール紙に記録実行可能な構成を有するインクジェット式記録装置が公知である。このインクジェット式記録装置は、主走査方向に往復動する記録ヘッドからロール紙にインクを吐出する動作と、ロール紙を副走査方向に搬送する動作を交互に繰り返す記録実行手段によって、ロール紙に記録を実行する。そして、記録実行手段より副走査方向下流側に配設された記録紙切断装置にて記録後のロール紙を所望の位置で切断する。
【０００３】
このような記録紙切断装置は、一般的にロール紙の幅方向、つまり副走査方向に長尺な固定刃と、その固定刃に摺接して主走査方向に往復動する移動刃とによって、ロール紙を剪断する。移動刃は、丸刃を回転させつつ移動する、いわゆるロータリーカッターが一般的である。丸刃を搭載したホルダをモータ等の駆動力源によって往復動させ、ホルダに回転可能に軸支されている丸刃は、ホルダの往復動に連動して回転する回転機構によって回転しながらロール紙を剪断する。
【０００４】
【発明が解決しようとする課題】
ところで、例えば一般的なインクジェット式記録装置には、ロール紙を副走査方向に搬送する手段としての搬送ローラ、及び記録後の記録紙を排出する手段としての排紙ローラが備えられている。この搬送ローラ及び排紙ローラは、回転駆動力源によって回転する駆動ローラと、その駆動ローラに付勢された状態で従動回転可能に軸支されている従動ローラとで構成されている。そして、ロール紙は、駆動ローラと従動ローラとの間に挟持された状態で、駆動ローラの回転駆動力によって搬送され、排出される。したがって、ロール紙は、この搬送ローラ及び排紙ローラに挟持された状態で、記録紙切断装置によって切断されることになる。
【０００５】
しかし、搬送ローラ及び排紙ローラは、記録紙切断装置にてロール紙を切断する際の切断位置から、やや離れた位置に配設されているのが通常である。そのため、ロール紙の切断位置近傍は、比較的フリーな状態であり、記録紙切断装置によって剪断する際に、ロール紙の切断位置近傍に剪断力が作用してロール紙が撓んだり、ねじれたり、回転してずれてしまったりする虞がある。そして、それによって、ロール紙の剪断時に紙詰まりが発生したり、ロール紙への記録実行位置がずれてしまったりする虞がある。
【０００６】
そこで、ロール紙の切断位置近傍をロール紙の両面側から挟持手段で挟持することによって、上記課題を解決することができる。具体的には、例えば、切断位置近傍の記録紙を上方に押し上げる挟持手段によって、切断位置近傍の記録紙を固定刃に押しつけて、挟持手段と固定刃との間に切断位置近傍の記録紙を挟持する。
【０００７】
しかしながら、略水平な姿勢の記録紙の切断位置近傍を上方に押し上げることによって、切断位置近傍の記録紙の姿勢は、水平方向に対して斜めに傾いた状態になってしまうことになる。そして、切断位置近傍が斜めに傾いた状態で、固定刃と移動刃とによって記録紙を剪断すると、記録紙を垂直に剪断することができず、切断面が斜めになってしまったり、切断できずに切断位置で記録紙が折れ曲がって固定刃と移動刃との間に挟まってしまったり等の不具合が生じる虞がある。
【０００８】
本願発明は、このような状況に鑑み成されたものであり、その課題は、切断位置近傍の記録紙を挟持した状態で記録紙を剪断する際に、その切断位置の切断面が斜めになってしまったり、切断できずに切断位置で記録紙が折れ曲がって固定刃と移動刃との間に挟まってしまったり等の不具合が生じる虞の少ない記録紙切断装置を提供することにある。
【０００９】
【課題を解決するための手段】
上記課題を達成するため、本願請求項１に記載の発明は、記録紙の幅方向に長尺な固定刃と、移動刃を搭載したホルダと、該ホルダを前記幅方向に往復動させるホルダ搬送手段と、切断位置近傍の前記記録紙を上方に押し上げながら前記固定刃に押しつけて、該記録紙を挟持する記録紙挟持手段とを備え、前記記録紙を前記記録紙挟持手段によって挟持した後に、前記固定刃と前記移動刃とで該記録紙を剪断する記録紙切断装置であって、剪断する直前の切断位置近傍において、前記記録紙の姿勢を略水平に規制する規制部が前記ホルダに形成されている、ことを特徴とした記録紙切断装置である。
【００１０】
このように、剪断する直前の切断位置近傍において、記録紙の姿勢を略水平に規制する規制部がホルダに形成されているので、剪断する直前の切断位置近傍の記録紙の姿勢を略水平に保つことができる。
【００１１】
これにより、本願請求項１に記載の発明に係る記録紙切断装置によれば、剪断する直前の切断位置近傍の記録紙の姿勢を略水平に保つことができるので、切断位置近傍の記録紙を挟持した状態で記録紙を剪断する際に、その切断位置の切断面が斜めになってしまったり、切断できずに切断位置で記録紙が折れ曲がって固定刃と移動刃との間に挟まってしまったり等の不具合が生じる虞を少なくすることができるという作用効果が得られる。
【００１２】
また、本願請求項１に記載の発明は、前記移動刃が前記固定刃と前記規制部との間に位置する如く、前記ホルダに前記規制部が形成されており、前記規制部は、前記固定刃の剪断面と略水平な高さの規制面にて前記記録紙の姿勢を略水平に規制する形状を成している、ことを特徴とした記録紙切断装置である。
【００１３】
このように、移動刃が固定刃と規制部との間に位置する如く、ホルダに規制部が形成されているので、移動刃の両側が、それぞれ固定刃と規制部とで略水平に姿勢を規制された状態で、切断位置近傍の記録紙を剪断することができる。つまり移動刃が移動する切断位置の両側において、記録紙の姿勢が略水平に規制されているので、記録紙の切断位置に作用する剪断力に対して、より強い規制力で切断位置近傍の記録紙の姿勢を略水平に規制することができる。
【００１４】
これにより、本願請求項１に記載の発明に係る記録紙切断装置によれば、記録紙の切断位置に作用する剪断力に対して、より強い規制力で切断位置近傍の記録紙の姿勢を略水平に規制することができるので、記録紙の切断位置に作用する剪断力によって切断位置近傍の記録紙の姿勢を水平に維持できなくなる虞をより少なくすることができるという作用効果が得られる。
【００１５】
本願請求項２に記載の発明は、請求項１において、前記規制部は、剪断する直前の切断位置近傍において、前記記録紙を前記規制面に誘導する斜面を有している、ことを特徴とした記録紙切断装置である。
【００１６】
本願請求項２に記載の発明に係る記録紙切断装置によれば、本願請求項１に記載の発明による作用効果に加えて、剪断する直前の切断位置近傍において、記録紙を規制面に誘導するので、剪断する直前の切断位置近傍の記録紙の姿勢を、確実に略水平状態に誘導して規制することができるという作用効果が得られる。
【００１７】
本願請求項３に記載の発明は、請求項２において、前記規制部は、剪断した直後の切断位置近傍において、前記記録紙の姿勢を略水平に規制する形状を成している、ことを特徴とした記録紙切断装置である。
【００１８】
本願請求項３に記載の発明に係る記録紙切断装置によれば、本願請求項２に記載の発明による作用効果に加えて、剪断した直後の切断位置近傍においても記録紙の姿勢を略水平に規制するので、切断直後の切断位置近傍の姿勢が切断直前の切断位置近傍の姿勢に影響する虞を少なくすることができ、それによって、より安定した記録紙の切断が可能になるという作用効果が得られる。
【００１９】
本願請求項４に記載の発明は、請求項１〜３のいずれか１項において、前記記録紙挟持手段は、前記記録紙を一点で挟持する構成を成している、ことを特徴とした記録紙切断装置である。
【００２０】
ここで、本願発明における一点で挟持するというのは、記録紙の全幅にわたって挟持するのでもなく、記録紙の全幅において、複数箇所の挟持部分があるものでもないことを意味しており、記録紙を挟持可能な挟持力を得られる最小限の小さな接触面積にて記録紙に面接触した状態で記録紙を挟持する挟持部分が、１カ所のみであるということを意味しているものである。
【００２１】
このように、記録紙の切断位置近傍を両面側から一点で挟持するので、記録紙の切断位置近傍に不均等な挟持力が作用することなく、記録紙を挟持することができる。そして、それによって、記録紙を剪断する際の記録紙の撓みやねじれを防止できるとともに、剪断力によって記録紙挟持手段と記録紙との間にすべりが生じる虞を少なくすることができる。
【００２２】
これにより、本願請求項４に記載の発明に係る記録紙切断装置によれば、本願請求項１〜３のいずれか１項に記載の発明による作用効果に加えて、記録紙を剪断する際の記録紙の撓みやねじれを防止できるとともに、剪断力によって記録紙挟持手段と記録紙との間にすべりが生じる虞を少なくすることができるので、記録紙を剪断する際の剪断力によって、紙詰まりや記録品質の低下が生じる虞を少なくすることができるという作用効果が得られる。
【００２３】
本願請求項５に記載の発明は、前記記録紙に記録実行可能な構成を有する記録装置であって、請求項１〜４のいずれか１項に記載の記録紙切断装置を備える、ことを特徴とした記録装置である。
【００２４】
本願請求項５に記載の発明に係る記録装置によれば、記録装置において、前述した本願請求項１〜４のいずれか１項に記載の発明による作用効果を得ることができる。
【００２５】
【発明の実施の形態】
以下、本願発明の一実施の形態を図面に基づいて説明する。
【００２６】
図１は、本願発明に係る「記録装置」としてのインクジェット式記録装置の一実施の形態を示した概略の斜視図であり、図２は、その要部側面図である。
【００２７】
インクジェット式記録装置５０には、普通紙やフォト専用紙、あるいは長尺な記録紙をロール状に巻いたロール紙Ｐ等の記録紙に記録を実行する記録手段として、キャリッジガイド軸５１に軸支され、主走査方向Ｘに移動するキャリッジ６１が設けられている。キャリッジ６１には、記録紙にインクを吐出して記録を行う記録ヘッド６２が搭載されている。記録ヘッド６２と対向して、記録ヘッド６２のヘッド面６２ａと記録紙との間隔（ペーパー・ギャップ、以下ＰＧとする）を規定するプラテン５２が設けられている。そして、キャリッジ６１を主走査方向Ｘに搬送し、キャリッジ６１とプラテン５２の間に記録紙を副走査方向Ｙに搬送しながら、記録ヘッド６２のヘッド面６２ａから記録紙にインクを吐出することで記録紙に記録が行われる。
【００２８】
また、インクジェット式記録装置５０には、普通紙やフォト専用紙等の単票紙を給紙可能な構成を有する、図示していない自動給紙装置（ＡＳＦ：オート・シート・フィーダ、以下ＡＳＦ）が設けられている。ＡＳＦは、図示していない給紙ローラ及び分離パッド等を有する自動給紙機構である。この給紙ローラの回転駆動力と分離パッドの摩擦抵抗により、給紙トレイ５７に置かれた複数の記録紙を給紙する際に、複数の記録紙が一度に給紙されることなく、１枚ずつ正確に自動給紙される。
【００２９】
さらに、インクジェット式記録装置５０には、給紙された記録紙を副走査方向Ｙに間欠的に搬送する記録紙搬送手段として、搬送駆動ローラ５３と搬送従動ローラ５４が設けられている。搬送駆動ローラ５３は、回転駆動力源により回転制御され、搬送駆動ローラ５３の回転により、記録紙は副走査方向Ｙに搬送される。搬送従動ローラ５４は複数設けられており、それぞれ個々に搬送駆動ローラ５３に付勢され、記録紙が搬送駆動ローラ５３の回転により搬送される際に、記録紙に接して記録紙の搬送に従動して回転する。
【００３０】
さらに、インクジェット式記録装置５０には、記録された記録紙を排出する手段として、排紙駆動ローラ５５と排紙従動ローラ５６が設けられている。排紙駆動ローラ５５は、回転駆動力源により回転制御され、排紙駆動ローラ５５の回転により、記録紙は副走査方向Ｙに排出される。排紙従動ローラ５６は、排紙フレーム６３に複数設けられ、周囲に複数の歯を有し、各歯の先端が記録紙の記録面に点接触するように鋭角的に尖っている歯付きローラとなっている。排紙従動ローラ５６は、それぞれ個々に排紙駆動ローラ５５に、搬送従動ローラ５４の付勢力よりも弱い付勢力で付勢され、記録紙が排紙駆動ローラ５５の回転により排出される際に、記録紙に接して記録紙の排出に従動して回転する。尚、当該実施の形態においては、排紙フレーム６３の上面は、キャリッジ６１に形成されたＰＧ規制部６１１が摺接し、キャリッジ６１の高さを規制してＰＧを規制するＰＧ規制面となっている。
【００３１】
さらに、インクジェット式記録装置５０は、給紙トレイ５７に着脱可能なロール紙ホルダ５９を備えている。インクジェット式記録装置５０は、ロール紙ホルダ５９にセットされたロール紙Ｐを、前述したＡＳＦによって、単票状の記録紙と同様に自動給紙して、自動給紙したロール紙Ｐに記録実行可能な構成を有している。
【００３２】
排紙従動ローラ５６より副走査方向Ｙの下流側には、排紙補助ローラ４１が従動回転可能に軸支されて配設されている。排紙補助ローラ４１は、排紙従動ローラ５６と同様に、周囲に複数の歯を有し、各歯の先端が記録紙の記録面に点接触するように鋭角的に尖っている歯付きローラとなっている。そして、排紙補助ローラ４１は、ロール紙Ｐの記録面に接する際に排紙補助ローラ４１を軸視している棒ばねの付勢力によって、ロール紙Ｐの記録面に弱い付勢力にて付勢された状態で、ロール紙Ｐの排出に従動して回転する。
【００３３】
排紙補助ローラ４１より副走査方向Ｙの下流側には、本願発明に係る「記録紙切断装置」としてのロール紙カッターを構成する固定刃１と、「移動刃」としての丸刃２と、丸刃２を回転可能に軸支し、主走査方向Ｘに往復動可能に配設されているホルダ２１とが配設されている。ホルダ２１は、主走査方向Ｘに長尺なガイド板２３に主走査方向Ｘに往復動可能に配設され、モータ等の回転駆動力源の回転駆動力が伝達される回転する無端ベルト２２に取り付けられた状態で、無端ベルト２２の回転によって副走査方向Ｙに往復動する構成を成している。
【００３４】
ホルダ２１の下流側には、単票紙や切断後のロール紙Ｐを最終的に排紙トレイ５８に排出するための手段として、排出駆動ローラ４２と排出従動ローラ４３が配設されている。排出駆動ローラ４２及び排出従動ローラ４３は、前述の排紙駆動ローラ５５及び排紙従動ローラ５６と略同様の構成を成しており、切断後のロール紙Ｐは、排出駆動ローラ４２と排出従動ローラ４３とに挟持された状態で排出駆動ローラ４２の回転駆動力によって排紙トレイ５８に排出される。また、排出駆動ローラ４２と排出従動ローラ４３は、ロール紙Ｐをロール紙カッターにて切断する際には、副走査方向Ｙの下流側のロール紙Ｐを挟持して保持する。
【００３５】
排紙駆動ローラ５５と固定刃１との間には、排出される単票紙やロール紙Ｐを案内する排紙案内路４４が配設されている。そして、排紙案内路４４の下部には、本願発明に係る「記録紙切断装置」としてのロール紙カッターを構成する「記録紙挟持手段」としての揺動部材１１が、軸６４に揺動可能に軸支されて配設されている。揺動部材１１は、符号Ａの矢印で示した揺動方向に揺動する如く、ねじりコイルばね１２によって付勢されている。揺動部材１１は、押さえ部１３を有する形状を成しており、押さえ部１３の上面部には、ゴム部材等の高い摩擦抵抗を有する滑り止め部材１４が取り付けられている。ロール紙カッターにてロール紙Ｐを切断する際に、揺動部材１１は、符号Ａの矢印で示した方向に揺動し、押さえ部１３が、切断位置近傍のロール紙Ｐを上方に押し上げるように固定刃１に押しつけて、切断位置近傍のロール紙Ｐが挟持される。
【００３６】
また、排紙案内路４４の副走査方向Ｙの下流側には、本願発明に係る「記録紙切断装置」としてのロール紙カッターを構成する案内板４５が、排出駆動ローラ４２の回転軸に揺動可能に軸支されている。案内板４５は、図２に示した揺動位置においては、排紙案内路４４を搬送されてくるロール紙Ｐをロール紙カッターの切断位置まで誘導する。そして、ロール紙Ｐを切断する際には、符号Ｂの矢印で示した揺動方向に揺動し、ホルダ２１の往復動経路から退避する。
【００３７】
図３は、図２に示したインクジェット式記録装置５０の要部側面図において、切断位置近傍のロール紙Ｐを挟持した状態を示したものである。
【００３８】
ロール紙Ｐを切断すべくホルダ２１が主走査方向Ｘに移動し始めると、ホルダ２１の移動に連動したカム機構（後述）によって、揺動部材１１が符号Ａで示した方向に揺動し始め、押さえ部１３が図示の如く、切断位置近傍のロール紙Ｐを上方に押し上げるように固定刃１に押しつけて、切断位置近傍のロール紙Ｐが挟持される。また、同じくホルダ２１の移動に連動したカム機構によって、案内板４５は、符号Ｂの矢印で示した方向に揺動し始め、ホルダ２１の移動経路から退避する。
【００３９】
そして、ロール紙Ｐは、固定刃１と図示していない回転機構によって回転しながら往復動する丸刃２とによって剪断される。剪断された側のロール紙Ｐは、排出駆動ローラ４２及び排出従動ローラとによって排紙トレイ５８（図１）向けて副走査方向Ｙへ排出される。
【００４０】
図４は、本願発明に係る「記録紙切断装置」としてのロール紙カッターの要部正面図であり、ホルダ２１が移動し始める前の状態を示したものである。図５は、図４に示した状態からホルダ２１が移動し始めた状態を示したものである。また、図６は、本願発明に係る「記録紙切断装置」としてのロール紙カッターの要部斜視図であり、ホルダ２１がロール紙Ｐを切断し終える位置まで移動した状態を示したものである。
【００４１】
無端ベルト２２は、駆動プーリー２２ａと従動プーリー２２ｂとの間に配設され、図示していないモータの回転駆動力が駆動プーリー２２ａに歯車機構等を介して伝達され、駆動プーリー２２ａが回転することによって回転する。ホルダ２１は、無端ベルト２２の一部に取り付けられた状態で、ガイド板２３に主走査方向Ｘに往復動可能に配設されているので、無端ベルト２２が回転することによって主走査方向Ｘに往復動する。
【００４２】
揺動部材１１は、２つのねじりコイルばね１２によって、符号Ａの矢印で示した揺動方向に付勢されている。また、２つのねじりコイルばね１２は、図示の如く揺動部材１１の両端に縮設されており、揺動部材１１の主走査方向Ｘのがたつきを防止する役割も成している。揺動部材１１には、カム機構のカムフォロア部１６が配設されている。揺動部材１１は、カムフォロア部１６がホルダ２１のカム部２５に押動された状態で、図示の揺動位置、つまり押さえ部１３が排紙案内路４４から退避した位置に下降した状態となる揺動位置となっている。
【００４３】
また、押さえ部１３は、当該実施の形態においては、ロール紙Ｐの切断位置の切断終了位置近傍を挟持する１カ所にのみ配設されている。さらに、揺動部材１１には、支持部１５が形成されており、支持部１５は、押さえ部１３と同様に、揺動部材１１の揺動によって上下動する。支持部１５は、当該実施の形態においては、図示の如く略等間隔にて４カ所に形成されている。
【００４４】
図４に示した状態から、ロール紙Ｐを切断すべく、ホルダ２１が符号Ｃの矢印で示した方向に移動し始めると、図５に示したように、カムフォロア部１６からホルダ２１のカム部２５が離れるので、揺動部材１１は、ねじりコイルばね１２の付勢力によって、符号Ａの矢印で示した揺動方向に揺動する。それによって、押さえ部１３と支持部１５は、排紙案内路４４に突出するように上昇する。押さえ部１３は、ロール紙Ｐを固定刃１に押しつけるように押し上げて、ロール紙Ｐは、固定刃１と押さえ部１３の押さえ面に取り付けられている滑り止め部材１４との間に挟持される。また、支持部１５は、ロール紙Ｐを上方に押し上げて、非挟持状態で切断位置近傍のロール紙Ｐの姿勢を略水平に規制する。
【００４５】
このように、ロール紙Ｐの全幅にわたって挟持するのでもなく、ロール紙Ｐの全幅において、複数箇所の挟持部分にて挟持するのでもなく、ロール紙Ｐを挟持可能な挟持力を得られる最小限の小さな接触面積にてロール紙Ｐに面接触した状態でロール紙Ｐを１カ所のみで挟持するので、ロール紙Ｐの切断位置近傍に不均等な挟持力が作用することなく、ロール紙Ｐを挟持することができる。そして、それによって、ロール紙Ｐを剪断する際のロール紙Ｐの撓みやねじれを防止できるとともに、剪断力によって押さえ部１３とロール紙Ｐとの間にすべりが生じる虞を少なくすることができる。
【００４６】
また、ロール紙Ｐの切断終点位置近傍でロール紙Ｐを挟持するので、ロール紙Ｐの切断が終了するまで、そのロール紙Ｐを挟持した状態を維持することができる。さらに、支持部１５によって、ロール紙Ｐの切断位置近傍が略水平に支持されるので、ロール紙Ｐの切断位置近傍が斜めに傾くことによる切断位置のずれやロール紙Ｐの引っかかり等の虞を少なくすることができる。さらに、押さえ部１３及び支持部１５が下降している時、つまりロール紙Ｐが非挟持状態である時に、押さえ部１３及び支持部１５は、ロール紙Ｐが搬送される排紙案内路４４の外に位置しているので、押さえ部１３及び支持部１５がロール紙Ｐの搬送を妨げない。
【００４７】
図７は、本願発明に係る「記録紙切断装置」としてのロール紙カッターの要部斜視図であり、ホルダ２１が移動し始める前の案内板４５の状態を示したものである。
【００４８】
ホルダ２１が移動し始める前の状態においては、案内板４５は、図示の如くホルダ２１の移動経路に位置しており、排紙案内路４４を搬送されてきたロール紙Ｐを固定刃１の剪断面へと誘導する。案内板４５には、カムフォロア部４６が取り付けられており、ホルダ２１のカム部２６とで案内板４５を揺動させるカム機構を構成している。また、案内板４５は、カムフォロア部４６に取り付けられたねじりコイルばね４７によって、符号Ｂの矢印で示した揺動方向に付勢されている。
【００４９】
図８は、本願発明に係る「記録紙切断装置」としてのロール紙カッターの要部斜視図であり、図７に示した状態からホルダ２１が移動し始めた状態を示したものである。
【００５０】
図７に示した状態から、ロール紙Ｐを切断すべく、ホルダ２１が符号Ｃの矢印で示した方向に移動し始めると、図８に示したように、カムフォロア部４６からホルダ２１のカム部２６が離れるので、揺動部材１１は、ねじりコイルばね４７の付勢力によって、案内板４５は、ホルダ２１の移動経路から退避する如く、符号Ｂの矢印で示した揺動方向に揺動する。
【００５１】
このように、ロール紙Ｐを固定刃１に向けて誘導する案内板４５は、ロール紙Ｐを切断する際には、ホルダ２１の移動に連動してホルダ２１の移動経路から退避するので、ホルダ２１の移動を妨げることがない。
【００５２】
図９〜図１１は、本願発明に係る「記録紙切断装置」としてのロール紙カッターの要部斜視図であり、ロール紙Ｐの切断位置近傍を拡大して示したものである。
【００５３】
図９は、切断前の状態を示したものであり、ホルダ２１は、符号Ｃの矢印で示した方向に移動し、丸刃２が符号Ｄの矢印で示した回転方向に回転しながらロール紙Ｐの側端に近づいていく。丸刃２は、図示していない回転機構によって、ホルダ２１の移動に連動して回転する。ホルダ２１には、丸刃２が固定刃１と規制部２４との間に位置する如く、ホルダ２１に規制部２４が形成されている。規制部２４は、斜面２４ａと規制面２４ｂを有する形状を成している。切断位置近傍において、斜面２４ａは、丸刃２を挟んで固定刃１と反対側のロール紙Ｐを規制面２４ｂに誘導し、規制面２４ｂは、丸刃２を挟んで固定刃１と反対側のロール紙Ｐの姿勢を略水平に規制する。
【００５４】
図１０は、切断直前の状態を示したものである。ホルダ２１が符号Ｃの矢印で示した方向にさらに移動し、丸刃２を挟んで固定刃１と反対側のロール紙Ｐは、規制部２４に形成されている斜面２４ａによって、規制面２４ｂに誘導されていく。そして、規制面２４ｂによって切断位置近傍のロール紙Ｐの姿勢は、固定刃１と規制部の規制面２４ｂとによって略水平に保たれる。図１１は、切断中のロール紙Ｐの切断位置近傍を拡大して示したものである。ホルダ２１が符号Ｃの矢印で示した方向にさらに移動し、ロール紙Ｐは、固定刃１と規制面２４ｂとで略水平に姿勢を規制された状態で、その固定刃１と規制面２４ｂとの間を、固定刃１と符号Ｄの矢印で示した方向に回転する丸刃２とによって剪断されていく。
【００５５】
このように、剪断する直前の切断位置近傍におけるロール紙Ｐの姿勢を略水平に規制する規制部２４がホルダ２１に形成されているので、剪断する直前のロール紙Ｐの切断位置近傍が斜めに傾くことによる切断位置のずれやロール紙Ｐの引っかかり等の虞を少なくすることができる。
【００５６】
また、丸刃２が固定刃１と規制部２４との間に位置する如く、ホルダ２１に規制部２４が形成されているので、丸刃２の両側が、それぞれ固定刃１と規制部２４の規制面２４ｂとで略水平に姿勢を規制された状態で、切断位置近傍のロール紙Ｐを剪断することができる。つまり丸刃２が移動する切断位置の両側において、ロール紙Ｐの姿勢が略水平に規制されているので、ロール紙Ｐの切断位置に作用する剪断力に対して、より強い規制力で切断位置近傍のロール紙Ｐの姿勢を略水平に規制することができる。
【００５７】
このようにして、当該実施の形態に示した本願発明に係る「記録紙切断装置」としてのロール紙カッターによれば、ロール紙Ｐを剪断する際のロール紙Ｐの撓みやねじれを防止できるとともに、剪断力によって記録紙挟持手段とロール紙Ｐとの間にすべりが生じる虞を少なくすることができるので、ロール紙Ｐを剪断する際の剪断力によって、紙詰まりや記録品質の低下が生じる虞を少なくすることができる。
【００５８】
また、他の実施の形態としては、上記一実施の形態に加えて、ホルダ２１に形成されている規制部２４の規制面２４ｂが切断直後のロール紙Ｐの姿勢を略水平に規制する形状を成しているものが挙げられる。
【００５９】
図１２は、本願発明に係る「記録紙切断装置」としてのロール紙カッターの他の実施の形態を示した要部斜視図である。
【００６０】
このように、規制面２４ｂが丸刃２より切断方向の後方側に長く形成されているので、切断直後のロール紙Ｐの姿勢を略水平に規制することができる。そして、それによって、切断直後のロール紙Ｐの姿勢が傾くことによる切断直前のロール紙Ｐの姿勢への影響を少なくすることができるので、より安定したロール紙Ｐの切断が可能になる。
【００６１】
尚、本願発明は上記実施例に限定されることなく、特許請求の範囲に記載した発明の範囲内で、種々の変形が可能であり、それらも本願発明の範囲内に含まれるものであることは言うまでもない。
【００６２】
【発明の効果】
本願発明によれば、切断位置近傍の記録紙を挟持した状態で記録紙を剪断する際に、その切断位置の切断面が斜めになってしまったり、切断できずに切断位置で記録紙が折れ曲がって固定刃と移動刃との間に挟まってしまったり等の不具合が生じる虞の少ない記録紙切断装置を提供することができる。
【図面の簡単な説明】
【図１】本願発明に係る「記録装置」としてのインクジェット式記録装置の一実施の形態を示した概略の斜視図である。
【図２】本願発明に係る「記録装置」としてのインクジェット式記録装置の一実施の形態を示した要部側面図である。
【図３】本願発明に係る「記録装置」としてのインクジェット式記録装置の一実施の形態を示した要部側面図であり、切断位置近傍のロール紙を挟持した状態を示したものである。
【図４】本願発明に係る「記録紙切断装置」としてのロール紙カッターの要部正面図であり、ホルダが移動し始める前の状態を示したものである。
【図５】本願発明に係る「記録紙切断装置」としてのロール紙カッターの要部正面図であり、図４に示した状態からホルダが移動し始めた状態を示したものである。
【図６】本願発明に係る「記録紙切断装置」としてのロール紙カッターの要部斜視図であり、ホルダがロール紙を切断し終える位置まで移動した状態を示したものである。
【図７】本願発明に係る「記録紙切断装置」としてのロール紙カッターの要部斜視図であり、ホルダが移動し始める前の案内板の状態を示したものである。
【図８】本願発明に係る「記録紙切断装置」としてのロール紙カッターの要部斜視図であり、図７に示した状態からホルダが移動し始めた状態を示したものである。
【図９】本願発明に係る「記録紙切断装置」としてのロール紙カッターの要部斜視図であり、切断前のロール紙の切断位置近傍を拡大して示したものである。
【図１０】本願発明に係る「記録紙切断装置」としてのロール紙カッターの要部斜視図であり、切断直前のロール紙の切断位置近傍を拡大して示したものである。
【図１１】本願発明に係る「記録紙切断装置」としてのロール紙カッターの要部斜視図であり、切断中のロール紙の切断位置近傍を拡大して示したものである。
【図１２】本願発明に係る「記録紙切断装置」としてのロール紙カッターの他の実施の形態を示した要部斜視図である。
【符号の説明】
１    固定刃
２    丸刃
１１  揺動部材
１２、２６  ねじりコイルばね
１３  押さえ部
１４  滑り止め部
１５  支持部
１６、４６  カムフォロア部
２１  ホルダ
２２  無端ベルト
２３  ガイド板
２４  規制部
２４ａ  斜面
２４ｂ  規制面
２５、２６  カム部
４１  排紙補助ローラ
４２  排出駆動ローラ
４３  排出従動ローラ
４４  排紙案内路
４５  案内板
５０  インクジェット式記録装置
５１  キャリッジガイド軸
５２  プラテン
５３  搬送駆動ローラ
５４  搬送従動ローラ
５５  排紙駆動ローラ
５６  排紙従動ローラ
５７  給紙トレイ
５８  排紙トレイ
６１  キャリッジ
６２  記録ヘッド
６３  排紙フレーム
６４  軸
【図１】
0003827000.tif 000002
【図２】
0003827000.tif 000003
【図３】
0003827000.tif 000004
【図４】
0003827000.tif 000005
【図５】
0003827000.tif 000006
【図６】
0003827000.tif 000007
【図７】
0003827000.tif 000008
【図８】
0003827000.tif 000009
【図９】
0003827000.tif 000010
【図１０】
0003827000.tif 000011
【図１１】
0003827000.tif 000012
【図１２】
0003827000.tif 000013